(57)【要約】【課題】基板の表面と裏面の両方に金属膜を形成しても受信する電波の乱れを防止できる。【解決手段】本発明のアンテナ装置１は、アンテナ面に設けられた所定幅のスロット線路１３と、開口部１５からスロット線路１３に向かって次第にスロット幅が狭くなるように形成され、スロット線路１３近傍の位置に第１スロット部１９を有するアンテナスロット７と、開口部１５から次第にスロット幅が狭くなるように形成され、第１スロット部１９に対応した位置に第２スロット部２１を有するグランドスロット１１とを備え、第２スロット部２１のスロット幅は第１スロット部１９のスロット幅よりも大きいことを特徴とする。【選択図】図１
2015159388.tif 000002
【特許請求の範囲】
【請求項１】
基板に金属膜でテーパースロットアンテナを形成したアンテナ装置であって、
前記基板の表面となるアンテナ面に設けられた所定幅のスロット線路と、
前記アンテナ面の電波受信方向の基板端部から前記スロット線路に向かって次第にスロット幅が狭くなるように形成され、前記スロット線路近傍の位置に第１スロット部を有するアンテナスロットと、
前記基板の裏面となるグランド面に電波受信方向の基板端部から次第にスロット幅が狭くなるように形成され、前記第１スロット部に対応した位置に第２スロット部を有するグランドスロットとを備え、
前記第２スロット部のスロット幅は前記第１スロット部のスロット幅よりも大きいことを特徴とするアンテナ装置。
【請求項２】
前記グランドスロットの信号出力端の近傍には、スロット幅を拡大させるオフセット量が設定されていることを特徴とする請求項１に記載のアンテナ装置。
【請求項３】
前記オフセット量は、相対位相速度に基づいて設定されていることを特徴とする請求項２に記載のアンテナ装置。
【請求項４】
前記相対位相速度は、前記アンテナスロットのテーパー長と受信電波の周波数とから求められることを特徴とする請求項３に記載のアンテナ装置。
【請求項５】
前記グランドスロットのスロット幅は、指数関数を用いて設定されていることを特徴とする請求項１に記載のアンテナ装置。
【請求項６】
前記グランド面を構成する２つの金属膜を接続するためのブリッジをさらに備え、前記ブリッジの位置は前記グランドスロットのスロット幅に基づいて設定されることを特徴とする請求項１〜５のいずれか１項に記載のアンテナ装置。
【請求項７】
前記アンテナスロット及び前記グランドスロットをそれぞれ複数設ける場合には、対応するアンテナスロットとグランドスロットにおいて、前記第２スロット部のスロット幅は前記第１スロット部のスロット幅よりも大きいことを特徴とする請求項１〜６のいずれか１項に記載のアンテナ装置。
【請求項８】
前記アンテナスロット及び前記グランドスロットをそれぞれ複数設ける場合に、複数の前記アンテナスロットまたは複数の前記グランドスロットの間にある金属膜は、電波を受信する方向の形状が平坦であることを特徴とする請求項７に記載のアンテナ装置。
【請求項９】
前記アンテナ面の金属膜と前記グランド面の金属膜とを電気的に接続する貫通穴を形成し、前記貫通穴は、前記アンテナスロットまたは前記グランドスロットから少なくとも前記オフセット量の距離だけ離れて形成されていることを特徴とする請求項２に記載のアンテナ装置。
【発明の詳細な説明】
【技術分野】
【０００１】
本発明は、基板に金属膜でテーパースロットアンテナを形成したアンテナ装置に関する。
【背景技術】
【０００２】
従来では、移動体通信等に利用可能なテーパースロットアンテナとして、特許文献１が開示されている。特許文献１に開示されたテーパースロットアンテナでは、基板の表面だけに金属膜を形成していたが、表面だけではグランドの面積を広くできないので、電波の受信を安定させることは困難であった。
【０００３】
そこで、基板の表面だけではなく、裏面にも表面と同じ形状の金属膜を形成してグランドの面積を広くすることが従来から行われていた。
【先行技術文献】
【特許文献】
【０００４】
【特許文献１】特開２０００−２３６２１２号公報
【発明の概要】
【発明が解決しようとする課題】
【０００５】
しかしながら、上述したように基板の表面と裏面の両方に金属膜でテーパースロットアンテナを形成すると、受信する電波に乱れが生じてしまうという問題点があった。
【０００６】
そこで、本発明は、上述した実情に鑑みて提案されたものであり、基板の表面と裏面の両方に金属膜を形成しても、受信する電波の乱れを防止することのできるアンテナ装置を提供することを目的とする。
【課題を解決するための手段】
【０００７】
上述した課題を解決するために、本発明は、所定幅のスロット線路と、アンテナ面に次第にスロット幅が狭くなるように形成されたアンテナスロットと、グランド面に次第にスロット幅が狭くなるように形成されたグランドスロットとを備えている。そして、グランドスロットの第２スロット部のスロット幅を、アンテナスロットの第１スロット部のスロット幅よりも大きくする。
【発明の効果】
【０００８】
本発明によれば、基板のグランド面に形成されたグランドスロットの信号出力端に電波が集中することを防止できるので、基板の表面と裏面の両方に金属膜を形成しても、受信する電波の乱れを防止することができる。
【図面の簡単な説明】
【０００９】
【図１】図１は、本発明の第１実施形態に係るアンテナ装置の構造を示す図であり、図１（ａ）は斜視図、図１（ｂ）はアンテナ面の平面図、図１（ｃ）はグランド面の平面図である。
【図２】図２は、本発明の第１実施形態に係るアンテナ装置におけるアンテナ面とグランド面のテーパー形状を示す図である。
【図３】図３は、本発明の第２実施形態に係るアンテナ装置の構造を示すグランド面の平面図である。
【図４】図４は、本発明の第２実施形態に係るアンテナ装置におけるアンテナ面とグランド面のテーパー形状を示す図である。
【図５】図５は、本発明の第３実施形態に係るアンテナ装置の構造を示すグランド面の平面図である。
【図６】図６は、本発明の第４実施形態に係るアンテナ装置の構造を示す図であり、図６（ａ）はアンテナ面の平面図、図６（ｂ）はグランド面の平面図である。
【図７】図７は、本発明の第５実施形態に係るアンテナ装置の構造を示すグランド面の平面図である。
【発明を実施するための形態】
【００１０】
以下、本発明を適用した第１〜第５実施形態について図面を参照して説明する。
【００１１】
［第１実施形態］
［アンテナ装置の構成］
図１は本実施形態に係るアンテナ装置の構造を示す図であり、図１（ａ）はアンテナ装置の斜視図、図１（ｂ）はアンテナ装置の表面となるアンテナ面の平面図、図１（ｃ）はアンテナ装置の裏面となるグランド面の平面図である。
【００１２】
図１に示すように、本実施形態に係るアンテナ装置１は、基板３のアンテナ面に金属膜５で形成されたアンテナスロット７と、基板３のグランド面に金属膜９で形成されたグランドスロット１１と、アンテナ面に設けられたスロット線路１３とを備えている。
【００１３】
ここで、アンテナ装置１は、基板３のアンテナ面とグランド面の両方にアンテナスロット７とグランドスロット１１を形成した構造をしているので、基板３の両面の金属膜５、９によってグランドの面積を広くとることができる。したがって、アンテナ装置１は電波の受信を安定させることが可能となる。
【００１４】
基板３は、ポリイミド等の誘電体材料で形成され、その厚さは１０〜１００μｍである。
【００１５】
金属膜５、９は、銅を主な材料として形成されており、その厚さは２〜２０μｍである。
【００１６】
アンテナスロット７は、図１（ｂ）に示すように、テーパー長Ｌで、電波受信方向の基板端部の開口部１５からスロット線路１３に向かって次第にスロット幅Ｓが狭くなる形状をしている。アンテナスロット７は、中心線Ｃからギャップ幅Ｗ（Ｌ）を両方向に広げた形状をしているので、スロット幅Ｓはギャップ幅Ｗ（Ｌ）の２倍となる。尚、図１ではアンテナスロット７と金属膜５との境界は直線形状となっているが、曲線形状であってもよい。また、アンテナスロット７は、スロット線路１３の近傍の位置に第１スロット部１９を有しており、この第１スロット部１９は以下で説明する第２スロット部２１の領域に対応している。
【００１７】
グランドスロット１１は、図１（ｃ）に示すように、電波受信方向の基板端部の開口部１５から信号出力端１７に向かって次第にスロット幅Ｓが狭くなる形状をしている。グランドスロット１１は、信号出力端１７から所定の距離ｍまでの間は、オフセット量Ｗｇｎｄの長さを中心線Ｃから両方向に広げた一定の幅を有しており、これによってスロット幅Ｓを拡大させている。そして、所定の距離ｍより先の開口部１５までの間は、アンテナスロット７と同じギャップ幅Ｗ（Ｌ）にオフセット量Ｗｇｎｄを追加した長さを中心線Ｃから両方向に広げた形状をしている。尚、グランドスロット１１と金属膜９との境界は直線形状となっているが、曲線形状であってもよい。また、グランドスロット１１は、第１スロット部１９に対応した位置に第２スロット部２１を有している。この第２スロット部２１は、スロット幅Ｓがオフセット量Ｗｇｎｄで一定となっている領域であり、尚且つアンテナ面にスロット線路１３が設けられていない領域である。
【００１８】
スロット線路１３は、アンテナ面に所定の幅で設けられており、アンテナスロット７に接続されて信号出力端１７まで形成されている。スロット線路１３の幅は、基板３の厚さに対して０．５〜２倍の厚さに設定しておけばよい。
ここで、オフセット量Ｗｇｎｄは、以下の式（１）に示すように相対位相速度Ｖｐに基づいて設定されている。
【００１９】
Ｗｇｎｄ＝（ｃ／Ｖｐ）×（Ｌ／２）          （１）
ただし、ｃは光速、Ｌはテーパー長である。このようにオフセット量Ｗｇｎｄを相対位相速度Ｖｐに基づいて設定するので、高周波であっても基板損失を低減し、アンテナを効率化することができる。
【００２０】
また、相対位相速度Ｖｐは、以下の式（２）に示すようにテーパー長Ｌと受信電波の周波数λ０とから求めることができる。これは、Hansen-Woodyardの式に基づいている。
【００２１】
Ｖｐ＝１＋１／（２Ｌ／λ０）                （２）
このように相対位相速度Ｖｐをテーパー長Ｌと受信電波の周波数λ０から求めているので、相対位相速度Ｖｐを容易に求めることができ、これによってオフセット量Ｗｇｎｄについても容易に設定することができる。
【００２２】
次に、図２を参照して、アンテナスロット７とグランドスロット１１のテーパー形状について詳細に説明する。尚、図２では、横軸にテーパー長方向の位置を示しており、スロット線路１３とアンテナスロット７が接する位置を０として開口部１５の方向へいくにしたがって値が大きくなるように表示している。また、縦軸にはスロット幅を示している。
【００２３】
図２に示すように、アンテナスロット７のテーパー形状Ｘは、スロット線路１３と接する位置から開口部１５へいくにしたがってスロット幅Ｓが直線的に拡大するように形成されている。
【００２４】
一方、グランドスロット１１のテーパー形状Ｙは、スロット線路１３と接する位置から約１．５ｍｍ程度までの間はオフセット量Ｗｇｎｄに基づいた一定のスロット幅となっている。そして、そこから開口部１５にかけてはアンテナスロット７と同様に開口部１５へいくにしたがってスロット幅Ｓが直線的に拡大するように形成されている。
【００２５】
ここで、開口部１５の位置を示す図２の位置Ｋにおけるアンテナスロット７のテーパー形状Ｘのスロット幅は約２．３ｍｍであり、グランドスロット１１のテーパー形状Ｙのスロット幅は約３．７ｍｍとなっている。したがって、アンテナスロット７のスロット幅に対するグランドスロット１１のスロット幅の比率は約１．５となる。このように本実施形態では、開口部１５におけるアンテナスロット７のスロット幅に対するグランドスロット１１のスロット幅の比率は約１〜２の範囲となっている。
【００２６】
一方、スロット幅Ｓがオフセット量Ｗｇｎｄで一定となっている位置Ｔでは、アンテナスロット７のテーパー形状Ｘのスロット幅は約０．２ｍｍであり、グランドスロット１１のテーパー形状Ｙのスロット幅は約０．６ｍｍとなっている。したがって、第２スロット部２１のスロット幅は第１スロット部１９のスロット幅よりも大きくなっており、アンテナスロット７のスロット幅に対するグランドスロット１１のスロット幅の比率は約３．０となる。このように本実施形態では、スロット線路１３の近傍におけるアンテナスロット７のスロット幅に対するグランドスロット１１のスロット幅の比率は約２〜４の範囲となっている。
【００２７】
したがって、本実施形態に係るアンテナ装置１では、アンテナスロット７のスロット幅に対するグランドスロット１１のスロット幅の比率が、テーパースロットアンテナの開口部１５からスロット線路１３へいくにしたがって大きくなるように設定されている。
これにより、アンテナスロット７では、送信されてきた電波を信号出力端１７で受信するが、グランドスロット１１では信号出力端１７のスロット幅が広がっているので、開口部１５から入射した電波が信号出力端１７に集中することはない。
【００２８】
したがって、本実施形態のアンテナ装置１では、グランドスロット１１において信号出力端１７に電波が集中することを防止できるので、受信する電波の乱れを防止することが可能となる。
【００２９】
［第１実施形態の効果］
以上詳細に説明したように、本実施形態に係るアンテナ装置１では、アンテナスロット７のスロット幅に対するグランドスロット１１のスロット幅の比率を、開口部１５から信号出力端１７へいくにしたがって大きくなるように設定する。また、第２スロット部２１のスロット幅を第１スロット部１９のスロット幅よりも大きくしている。これにより、グランドスロット１１の信号出力端１７に電波が集中することを防止できるので、基板３の表面と裏面の両方に金属膜を形成しても、受信する電波の乱れを防止することができる。
【００３０】
また、本実施形態に係るアンテナ装置１では、グランドスロット１１の信号出力端１７の近傍にスロット幅を拡大させるオフセット量Ｗｇｎｄが設定されている。これにより、グランドスロット１１の信号出力端１７の近傍のスロット幅を確実に拡大させることができるので、アンテナスロット７のスロット幅に対するグランドスロット１１のスロット幅の比率を信号出力端１７の近傍で確実に大きくすることができる。
【００３１】
さらに、本実施形態に係るアンテナ装置１によれば、オフセット量Ｗｇｎｄを相対位相速度Ｖｐに基づいて設定するので、高周波であっても基板損失を低減し、アンテナを効率化することができる。
【００３２】
また、本実施形態に係るアンテナ装置１によれば、相対位相速度Ｖｐをテーパースロットアンテナのテーパー長Ｌと受信電波の周波数λ０とから求めるので、テーパー長Ｌから相対位相速度Ｖｐを求めて容易にオフセット量Ｗｇｎｄを設定することができる。
【００３３】
［第２実施形態］
次に、本発明の第２実施形態に係るアンテナ装置について図面を参照して説明する。尚、第１実施形態と同一の構成要素には同一の番号を付して詳細な説明は省略する。
【００３４】
［アンテナ装置の構成］
図３は本実施形態に係るアンテナ装置のグランド面の構造を示す平面図である。図３に示すように、本実施形態に係るアンテナ装置３１は、グランドスロット３３のテーパー形状が第１実施形態と相違している。ただし、アンテナスロット７のテーパー形状は第１実施形態と同一である。
【００３５】
本実施形態に係るグランドスロット３３は、中心線Ｃからギャップ幅Ｗｇｎｄｃ（Ｌ）を両方向に広げたテーパー形状をしている。したがって、スロット幅Ｓはギャップ幅Ｗｇｎｄｃ（Ｌ）の２倍となる。
【００３６】
ここで、ギャップ幅Ｗｇｎｄｃ（Ｌ）は、以下の式（３）に示すように指数関数を用いて設定されているので、スロット幅Ｓも指数関数となる。
【００３７】
Wgndc(L)=exp(c/Vp-1)×(L/2)+(c/Vp)×(L/2)          （３）
ただし、Ｖｐは相対位相速度、ｃは光速、Ｌはテーパー長である。金属膜９の表面電流密度は、ｅｘｐ（−ｉωｘ）で伝播するので、グランドスロット３３のテーパー形状を指数関数で設定することにより、強い表面電流が流れる場合であっても最適なテーパー形状にすることができる。すなわち、信号入力側において、相対位相速度Ｖｐが大きくても、基板表面電流の影響を補正することができる。また、グランド面の金属膜９を表面電流の影響のないところに設けることができる。
【００３８】
次に、図４を参照して、アンテナスロット７とグランドスロット３３のテーパー形状について詳細に説明する。尚、図４では、横軸にテーパー長方向の位置を示しており、スロット線路１３とアンテナスロット７が接する位置を０として開口部１５の方向へいくにしたがって値が大きくなるように表示している。また、縦軸にはスロット幅を示している。
【００３９】
図４に示すように、アンテナスロット７のテーパー形状Ｘは、スロット線路１３と接する位置から開口部１５へいくにしたがってスロット幅Ｓが直線的に拡大するように形成されている。
【００４０】
一方、グランドスロット３３のテーパー形状Ｙは、式（３）に基づいて、スロット線路１３と接する位置から開口部１５にかけてスロット幅Ｓが指数関数的に拡大するように形成されている。
【００４１】
ここで、開口部１５の位置を示す図４の位置Ｋにおけるアンテナスロット７のスロット幅に対するグランドスロット１１のスロット幅の比率は第１実施形態と同様に約１．５となっている。
【００４２】
これに対して、位置Ｔでは、アンテナスロット７のテーパー形状Ｘのスロット幅は約０．２ｍｍであり、グランドスロット３３のテーパー形状Ｙのスロット幅は約０．８ｍｍとなっている。したがって、アンテナスロット７のスロット幅に対するグランドスロット１１のスロット幅の比率は約４．０となっており、第１実施形態よりも比率が大きくなっている。
【００４３】
したがって、第１実施形態と比較して、本実施形態のほうがグランドスロット３３の信号出力端１７において、電波が集中することを防止できる。これにより、受信する電波の乱れをより一層防止することが可能となる。
【００４４】
［第２実施形態の効果］
以上詳細に説明したように、本実施形態に係るアンテナ装置３１では、グランドスロット３３のスロット幅Ｓを、指数関数を用いて設定する。これにより、強い表面電流が流れる場合であっても最適なテーパー形状にすることができる。
【００４５】
［第３実施形態］
次に、本発明の第３実施形態に係るアンテナ装置について図面を参照して説明する。尚、第１及び第２実施形態と同一の構成要素には同一の番号を付して詳細な説明は省略する。
【００４６】
［アンテナ装置の構成］
図５は本実施形態に係るアンテナ装置のグランド面の構造を示す平面図である。図５に示すように、本実施形態に係るアンテナ装置５１は、グランド面を構成する２つの金属膜９を接続するためのブリッジ５３をさらに備えたことが第１実施形態と相違している。尚、図５では、グランドスロット１１の形状として第１実施形態のテーパー形状を例示しているが、第２実施形態のテーパー形状であってもよい。
【００４７】
ブリッジ５３は、共通グラントをとるためのエアブリッジであり、その位置はグランドスロット１１のスロット幅に基づいて設定されている。具体的に説明すると、スロット幅Ｓが最も小さい幅となる位置に設置すればよいので、第１実施形態のテーパー形状の場合にはスロット幅Ｓがオフセット量Ｗｇｎｄとなる位置に設置すればよい。また、第２実施形態のテーパー形状である場合には、ギャップ幅Ｗｇｎｄｃ（Ｌ）が小さくなる信号出力端１７の近傍に設置すればよい。さらに、相対位相速度Ｖｐのアンテナ面とグランド面の比が大きくなる領域に設置してもよい。
【００４８】
［第３実施形態の効果］
以上詳細に説明したように、本実施形態に係るアンテナ装置５１では、グランド面を構成する２つの金属膜９を接続するためのブリッジ５３をさらに備え、ブリッジ５３の位置をスロット幅に基づいて設定する。これにより、２つの金属膜９を等電位に保つことができるので、グランド面の表面電流分布をより安定させることができる。
【００４９】
［第４実施形態］
次に、本発明の第４実施形態に係るアンテナ装置について図面を参照して説明する。尚、第１〜第３実施形態と同一の構成要素には同一の番号を付して詳細な説明は省略する。
【００５０】
［アンテナ装置の構成］
図６は本実施形態に係るアンテナ装置の構造を示す図であり、図６（ａ）はアンテナ装置のアンテナ面の平面図、図６（ｂ）はアンテナ装置のグランド面の平面図である。
図６に示すように、本実施形態に係るアンテナ装置６１は、基板３のアンテナ面に複数のアンテナスロット６３ａ、６５ａが形成され、グランド面にグランドスロット６３ｂ、６５ｂが形成されている。アンテナスロット６３ａはグランドスロット６３ｂに対応しており、アンテナスロット６５ａはグランドスロット６５ｂに対応している。
【００５１】
尚、図６では、スロットの形状として第１実施形態のテーパー形状を例示しているが、第２実施形態のテーパー形状であってもよい。また、第３実施形態で説明したブリッジを備えていてもよい。さらに、スロットの数は２つではなく、３つ以上であってもよい。
【００５２】
このようにアンテナスロット及びグランドスロットをそれぞれ複数設ける場合には、対応するアンテナスロットとグランドスロットにおいて、第１実施形態で説明したようなスロット幅の比率になっていればよい。すなわち、対応するアンテナスロットとグランドスロットにおいて、アンテナスロットのスロット幅に対するグランドスロットのスロット幅の比率が、開口部１５から信号出力端１７へいくにしたがって大きくなるように設定されていればよい。また、第２スロット部のスロット幅を第１スロット部のスロット幅よりも大きくなるようにすればよい。
【００５３】
例えば、アンテナスロット６３ａのスロット幅に対するグランドスロット６３ｂのスロット幅の比率が、開口部１５から信号出力端１７へいくにしたがって大きくなるように設定されていればよい。同様に、アンテナスロット６５ａのスロット幅に対するグランドスロット６５ｂのスロット幅の比率が、開口部１５から信号出力端１７へいくにしたがって大きくなるように設定されていればよい。
【００５４】
また、本実施形態に係るアンテナ装置６１では、複数のアンテナスロット及びグランドスロットの間にある金属膜６７ａ、６７ｂの形状を、電波を受信する方向が平坦になるように形成する。
【００５５】
通常、２つのアンテナスロットまたはグランドスロットを単に並べて形成すると、図６（ａ）、（ｂ）の点線部分に示すように金属膜６７ａ、６７ｂは尖った尖頭形状になってしまう。このような尖頭形状になっていると、表面電流が集中してしまうので、点線部分を取り除いて電波を受信する方向の形状を平坦にする。この際、金属膜６７ａ、６７ｂの平坦部分の幅ｄは、０．１λ０以上の長さとなるようにする。これにより、表面電流の集中を緩和することができる。
【００５６】
［第４実施形態の効果］
上述したように、本実施形態のアンテナ装置６１では、アンテナスロット及びグランドスロットを複数設ける場合に、対応するアンテナスロット及びグランドスロットにおいて、アンテナスロットのスロット幅に対するグランドスロットのスロット幅の比率が開口部１５から信号出力端１７へいくにしたがって大きくなるように設定されている。また、第２スロット部のスロット幅を第１スロット部のスロット幅よりも大きくしている。これにより、複数のアンテナスロット及びグランドスロットを設けた場合でも、グランドスロットの信号出力端１７に電波が集中することを防止して、受信する電波の乱れを防止することができる。
【００５７】
また、本実施形態のアンテナ装置６１では、アンテナスロット及びグランドスロットを複数設ける場合に、複数のアンテナスロット及びグランドスロットの間にある金属膜６７ａ、６７ｂの電波を受信する方向の形状を平坦にしている。これにより、表面電流の集中を緩和することができる。
【００５８】
［第５実施形態］
次に、本発明の第５実施形態に係るアンテナ装置について図面を参照して説明する。尚、第１〜第４実施形態と同一の構成要素には同一の番号を付して詳細な説明は省略する。
【００５９】
［アンテナ装置の構成］
図７は本実施形態に係るアンテナ装置のグランド面の構造を示す平面図である。図７に示すように、本実施形態に係るアンテナ装置７１は、アンテナ面の金属膜５とグランド面の金属膜９とを電気的に接続する貫通穴７３を形成したことが他の実施形態と相違している。
【００６０】
尚、図７では、アンテナスロット１１の形状として第１実施形態のテーパー形状を例示しているが、第２実施形態のテーパー形状であってもよい。また、第３実施形態で説明したブリッジを備えていてもよいし、第４実施形態で説明したようにアンテナスロット及びグランドスロットを複数形成した場合にも適用可能である。
【００６１】
貫通穴７３はビア等であり、基板３を貫通してアンテナ面の金属膜５とグランド面の金属膜９とを電気的に接続する。貫通穴７３の設置位置は、図７の点線で示すようにアンテナスロット７またはグランドスロット１１から少なくともオフセット量Ｗｇｎｄの距離だけ離れて形成されている。
【００６２】
［第５実施形態の効果］
以上詳細に説明したように、本実施形態に係るアンテナ装置７１では、アンテナ面の金属膜５とグランド面の金属膜９とを電気的に接続する貫通穴７３を形成する。そして、この貫通穴７３をアンテナスロット７またはグランドスロット１１から少なくともオフセット量Ｗｇｎｄの距離だけ離れて形成する。これにより、基板３のアンテナ面とグランド面において、表面電流の少ない領域の電界を共通にすることができる。
【００６３】
なお、上述の実施形態は本発明の一例である。このため、本発明は、上述の実施形態に限定されることはなく、この実施形態以外の形態であっても、本発明に係る技術的思想を逸脱しない範囲であれば、設計などに応じて種々の変更が可能であることは勿論である。
【符号の説明】
【００６４】
１、３１、５１、６１、７１  アンテナ装置
３  基板
５、９、６７ａ、６７ｂ  金属膜
７、６３ａ、６５ａ  アンテナスロット
１１、３３、６３ｂ、６５ｂ  グランドスロット
１３  スロット線路
１９  第１スロット
２１  第２スロット
１５  開口部
１７  信号出力端
５３  ブリッジ
７３  貫通穴
【図１】
2015159388.tif 000003
【図２】
2015159388.tif 000004
【図３】
2015159388.tif 000005
【図４】
2015159388.tif 000006
【図５】
2015159388.tif 000007
【図６】
2015159388.tif 000008
【図７】
2015159388.tif 000009